(57)【要約】【課題】  本発明は、水，清涼飲料，果実飲料，酒類，調味料，香料などの液体を収容する従来から存する瓶容器の既成観念を打破し、広告媒体としても発揮することができる情報の伝達機能を有する瓶容器を提供することを目的とする。【解決手段】  本発明は、任意の液体を収容する瓶体１において、任意位置から任意方向に任意長さの通孔部３を形成し、この通孔部に任意表示を有するカード等６を着脱し得るように挿入して成るものである。【選択図】    図２
2006001585.tif 000002
【特許請求の範囲】
【請求項１】
任意の液体を収容する瓶体において、任意位置から任意方向に任意長さの通孔部を形成し、この通孔部に任意表示を有するカード等を着脱し得るように挿入して成ることを特徴とする瓶容器。
【請求項２】
瓶体の底面部から任意方向に任意長さの通孔部を設け、この通孔部に任意表示を有するカード等を着脱し得るように挿入して成る瓶容器。
【請求項３】
瓶体の底面部から任意方向に任意長さの通孔部を設け、この通孔部からさらに垂直孔部を形成し、この通孔部及び垂直孔部に任意表示を有するカード等を着脱し得るように挿入して成る瓶容器。
【請求項４】
瓶体の底面部を凹形状にするとともにその上方向に通孔部を形成し、この通孔部の内部周面に凸レンズ面を構成し、このように成る通孔部に任意表示を有するカード等を着脱し得るように挿入して成る瓶容器。
【請求項５】
瓶体の底面部から任意方向に任意長さの通孔部を設け、この通孔部からさらに垂直孔部を形成し、前記通孔部の内部周面に凸レンズ面を構成し、このように成る通孔部及び垂直孔部に任意表示を有するカード等を着脱し得るように挿入して成る瓶容器。
【請求項６】
瓶体の正面部の肩部から下方向に通孔部を形成し、この通孔部に任意表示を有するカード等を着脱し得るように挿入して成る瓶容器。
【請求項７】
瓶体の側面部から横方向に通孔部を形成し、この通孔部に任意表示を有するカード等を着脱し得るように挿入して成る瓶容器。
【発明の詳細な説明】
【技術分野】
【０００１】
本発明は、広告媒体を兼用する瓶容器に関するものである。
【背景技術】
【０００２】
従来から存する硝子、合成樹脂などの材質による瓶容器においては、商標などを表示するラベルを貼付するために接着剤を介して行われるのが普通であるところ、時間の経過や環境・周囲の変化によって、ラベルは汚損・切損することが起こったり、また瓶容器のリサイクル時にラベルの剥離の必要が生ずるなどの問題があった。
【０００３】
また、各種の液体を収容する瓶容器自体の既成観念から、その存在意義には限界があり、実用面でも装飾面でも殆んど工夫や改良などはなされていなかった。
【０００４】
参考文献としては、例えば次のようなものがある。
【０００５】
【特許文献１】特開２００３−２６６８号公報
【発明の開示】
【発明が解決しようとする課題】
【０００６】
そこで、本発明は、前記のような瓶容器の既成観念を打破し、広告媒体として瓶容器自体が発揮することができる情報の伝達機能を有する画期的な瓶容器を提供することを目的とするものである。
【課題を解決するための手段】
【０００７】
本発明は、任意の液体を収容する瓶体において任意位置から任意方向に任意長さの通孔部を設け、この通孔部に任意表示を有するカード等を着脱し得るように挿入して成るものである。
【０００８】
また、本発明は、例えば瓶体の底面部を凹形状にするとともに上方向に通孔部を形成し、この通孔部の内部周面に凸レンズ面を構成し、このように成る通孔部内に任意表示を有するカード等を着脱し得るように挿入して成るものである。
【発明の効果】
【０００９】
本発明による瓶容器にあっては、商標その他の表示を記載したラベルを接着剤によって貼付する必要がないから、ラベルの汚損などを気にすることはなくなり、また内容物が消費された後の同一の瓶容器内に別の内容物を収容し、これに新表示を記載したカード等を作成して挿入することができるようになる。
【００１０】
また、透明な瓶容器とそこに収容されている液体（水，清涼飲料，果実飲料，酒類，調味料，香料など）との合体状態を媒体として発信するカード等上の各種の表示や情報を、看者に正確に伝達することができる。
【００１１】
また、瓶容器を見る看者は、例えばカードの表示面を通孔部内の凸レンズ面部によって拡大して識別することができるものにあっては、視覚的に抜群の効果を発揮し、各種の瓶容器を広告媒体とする情報提供力と宣伝力はきわめて画期的なものとなる。
【発明を実施するための最良の形態】
【００１２】
瓶体の任意位置の任意方向に形成されている通孔部に任意の表示を記載したカード等を着脱し得るように挿入しておくことによって、瓶体とその内部の液体とを媒体として看者に送るメッセージへの注意力が大きくなる。
【００１３】
また、当該カードを瓶体底面部から通孔部及び垂直孔部に挿入して固定すると、通孔部の内部周面の凸レンズ面部によってカードの表示面が拡大して看取されるようになり、瓶容器自体のディスプレー効果が顕著なものとなる。
【実施例１】
【００１４】
図１乃至図５を参照。
【００１５】
１は任意形状になる種々の瓶体で、この瓶体の底面部２は凹形状に拡大するとともにその中央部は内部上方に向かって任意長さの通孔部３を形成する。
【００１６】
４は前記通孔部３の内部周面に底面部２から膨出状に形成する凸レンズ面部で、この通孔部の凸レンズ面部はその中央部において、内部上方向に巾狭の垂直孔部５を形成している。
【００１７】
６は任意の商標や表示などを記載したカード等で、このカード等は前記底面部から通孔部３を通して垂直孔部５に挿入すると、この垂直孔部５によって抑止固定されるようになる。
【００１８】
前記通孔部３及び垂直孔部５に挿入するカードの種類や品質や情報内容は問わない。
【実施例２】
【００１９】
図６乃至図８を参照。
【００２０】
７は任意形状に成る瓶体１の正面部の一肩部８から下方部に垂直に形成した任意長さの通孔部で、この通孔部には任意の商標や表示などを記載したカード等９を着脱し得るように挿入する。
【実施例３】
【００２１】
図９乃至図１１を参照。
【００２２】
１０は任意形状に成る瓶体１の側面部１１の中央から横方向に形成した任意長さの通孔部で、この通孔部には任意の商標や表示などを記載したカード等１２を着脱し得るように挿入する。
【００２３】
本発明にあっては、前記図示した実施例のほかに、瓶体の側面部から斜め横方向に形成した任意長さの通孔部に、カード等を着脱し得るように挿入するようにしてもよいが、いかなる瓶体にあっても、水，清涼飲料，果実飲料，酒類，調味料，香料などの液体を収容する。
【図面の簡単な説明】
【００２４】
【図１】実施例１の全体の正面図
【図２】使用時の全体の正面図
【図３】使用時の全体の側面図
【図４】図３Ａ−Ａ線の断面図
【図５】図３Ｂ−Ｂ線の断面図
【図６】実施例２の全体の正面図
【図７】使用時の全体の正面図
【図８】使用時の全体の一部切欠側面図
【図９】実施例３の全体の正面図
【図１０】使用時の全体の正面図
【図１１】使用時の全体の一部切欠底面図
【符号の説明】
【００２５】
１                瓶体
２                瓶体底面部
３，７，１０      通孔部
４                凸レンズ面部
５                垂直孔部
６，９，１２      カード等
８                肩部
１１              側面部
【図１】
2006001585.tif 000003
【図２】
2006001585.tif 000004
【図３】
2006001585.tif 000005
【図４】
2006001585.tif 000006
【図５】
2006001585.tif 000007
【図６】
2006001585.tif 000008
【図７】
2006001585.tif 000009
【図８】
2006001585.tif 000010
【図９】
2006001585.tif 000011
【図１０】
2006001585.tif 000012
【図１１】
2006001585.tif 000013